【事件の表示】
　特願２００９−５２９３２５「複数の通信インタフェースを有する移動局の非アクティブな通信インタフェースの電力効率的な起動の方法」拒絶査定不服審判事件〔平成２０年　３月２７日国際公開、ＷＯ２００８／０３６６０８、平成２２年　２月１２日国内公表、特表２０１０−５０４７００〕について、次のとおり審決する。
【結　論】
　本件審判の請求は、成り立たない。
【理　由】
１．手続の経緯
　本願は、２００７年（平成１９年）９月１７日（優先権主張２００６年９月１９日、米国）を国際出願日とする国際出願であって、平成２３年７月２５日付けの拒絶理由の通知に対し、同年１２月２０日付けで手続補正がされ、平成２４年５月２５日付けで拒絶査定がなされ、これに対し、同年１０月１日に審判請求がなされ、その後、当審において、平成２５年９月４日付けで拒絶理由を通知したものである。
　なお、当審において平成２５年９月４日付けで通知した拒絶理由に対して、指定した期間内における請求人からの応答はなかった。
　
　
２．本願発明
　本願の請求項に係る発明は、平成２３年１２月２０日付けの手続補正書の特許請求の範囲の請求項１〜１７に記載された事項により特定されるものであるところ、その請求項１に係る発明（以下、「本願発明」という）は、次のとおりのものである。なお、下線は、請求人が付した。
　
「【請求項１】
　複数の通信インタフェースを有する移動局に通信サービスを提供する方法であって、各通信インタフェースはアクティブな電力モードと非アクティブな電力モードとを有し、前記アクティブな電力モードの通信インタフェースの電力消費量は、前記非アクティブな電力モードの前記通信インタフェースの電力消費量よりも高い、方法であって、
　前記アクティブな電力モードにあり、且つ通信サービスを提供している、第１の通信インタフェースの通信サービスレベルを評価し、
　第２の通信インタフェースを、前記第２の通信インタフェースを前記非アクティブな電力モードから前記アクティブな電力モードに変更することによって、アクティブにし、
　前記アクティブにされた第２の通信インタフェースの通信サービスレベルを評価し、
　前記第１の通信インタフェースの前記通信サービスレベルと、前記アクティブにされた第２の通信インタフェースの前記通信サービスレベルとの比較を行い、
　通信サービスレベルの前記比較が、前記第２の通信インタフェースが前記第１の通信インタフェースよりも高い通信サービスレベルを提供することができることを示す場合、前記第１の通信インタフェースを、前記アクティブな電力モードから前記非アクティブな電力モードに変更することによって、前記第１の通信インタフェースを非アクティブにし、且つ
　前記第２の通信インタフェースを介して通信サービスを提供し、
さもなければ、前記第１の通信インタフェースを介して通信サービスを提供することを継続する
　ことを含
み
　
前記第１の通信インタフェースの前記通信サービスレベルが所定の閾値未満に低下する場合、第２の通信インタフェースをアクティブにし、通信サービスレベルを評価し、前記通信サービスレベルの比較を行なう前記ステップが行なわれる、
　
　
３．引用文献
３−１．引用文献１
　本願の優先日前に国際公開された国際公開第２００５／０８６３７８号（以下、「引用文献１」という。）には、図面とともに、次のａ〜ｄの事項が記載されている。なお、下線は当審が付した。
　
ａ．「
The present invention relates to a multi-mode multi-band mobile communication terminal for supporting both an asynchronous communication network and a synchronous communication network, and more particularly to a multi-mode multi-band mobile communication terminal and a mode switching method thereof, which can perform a mode switching between an asynchronous mobile communication network and a synchronous mobile communication network while minimizing interruption in the communication.
（当審仮訳：
本発明は、非同期通信網と同期通信網の両方を支援するマルチモード−マルチバンド移動通信端末に関し、より詳しくは、通信断絶を最小化して非同期移動通信網と同期移動通信網とのモード切替を行うことができるマルチモード−マルチバンド移動通信端末及びそのモード切替方法に関する。
（第１頁第７行目乃至第１２行目）
　
ｂ．「A mode switching between the asynchronous mode and the synchronous mode is necessary when the MMMB mobile communication terminal moves into an area of a synchronous communication network from an overlap area between areas of synchronous and asynchronous communication networks. According to the conventional method for mode switching, 
a modem for call connection with the synchronous communication network is operated after the mobile communication terminal completely escapes from the overlap area and the call connection with the asynchronous communication network is interrupted.
（当審仮訳：該ＭＭＭＢ移動通信端末が非同期及び同期通信網のオーバーレイ領域から同期通信網領域へ移動する場合、非同期−同期モード切替が必要となる。モード切替の従来手法によると、
移動通信端末がオーバーレイ領域を完全に離れて非同期通信網との呼が断絶された後に同期通信網との接続のためのモデムを起動していた。
（第３頁第１行目乃至第１０行目）
　
ｃ．「The intensity of the signal from the asynchronous network can be obtained based on a ratio (expressed as Ec/Io; Energy of Carrier/Interference of Others) of the signal intensity of the pilot channel to the magnitude of all received noise, a receive (Rx) power expressed as RSSI (Received Signal Strength Indicator), a Received Signal Code Power (RSCP), etc. 
　From among those parameters, Ec/Io excessively changes according to the surrounding radio environments. In contrast, RSSI and RSCP have a nearly constant threshold value because RSSI is a receive power of the mobile communication terminal and RSCP is a value obtained through the decoding of the signal received by the mobile communication terminal. 
　Therefore, the present invention employs RSSI or RSCP instead of Ec/Io in measuring the signal intensity. Hereinafter, 
a method using RSCP will be described, although the same method can be applied to RSSI also.
（当審仮訳：該非同期通信網の信号強度は、すべての受信雑音の大きさに対するパイロットチャンネルの信号強度の比率（Ｅｃ／Ｉｏ（Energy of Carrier/Interference of Others）で示される、キャリア電力／他の干渉）、ＲＳＳＩ（受信信号強度指標）で示す受信（Ｒｘ）強度、受信信号コード電力（ＲＳＣＰ）などに基づいて得ることができる。それらのパラメータにおいて、Ｅｃ／Ｉｏは周辺の無線環境によって過度に変動する短所がある。対照的に、ＲＳＳＩは移動通信端末の受信電力であり、ＲＳＣＰは移動通信端末が受信信号の復号によって得られた値であるため、ＲＳＳＩ及びＲＳＣＰはほぼ一定の閾値を有する。よって、本発明では信号強度の測定にＥｃ／Ｉｏを用いずにＲＳＳＩ又はＲＳＣＰを用いる。以下、
ＲＳＣＰを用いる方法を説明するが、同じ方法はＲＳＳＩに適用されることができる。
（第１２頁第１３行目乃至２５行目）
　
ｄ．「FIG. 7 is a flowchart of a method for mode switching according to the second embodiment of the present invention. 
 Referring to FIG. 7, 
when the mobile communication terminal 400 is in a traffic state in the area of the asynchronous communication network 100 (step S110), the main processor 443 determines if RSCP has a value lower than the preset threshold value TH (step S120).
 
When it is determined in step S120 that RSCP has a value lower than the preset threshold value TH, the main processor 443 determines if the state in which RSCP has a value lower than the preset threshold value TH is maintained during a predetermined time interval T(step S130).
 Then, when it is determined in step S150 that the BLER monitored in step S140 exceeds a preset threshold value (e.g. about 10%), the main processor 443 operates the synchronous modem 434 in order to prepare communication with the synchronous communication network 200 (step S160). 
 Here, steps S140 and S150 may be omissible because they are necessary only to compensate for and are not indispensable in the second embodiment of the present invention. In the case where steps S140 and S150 are omitted, 
when it is determined in step S130 that the state in which RSCP has a value lower than the preset threshold value TH is maintained during a predetermined time interval T, the main processor 443 operates the synchronous modem 434 in order to prepare communication with the synchronous communication network 200 (step S160).
 In this case, even after operating the synchronous modem 434, the main processor 443 does not attempt registration of the synchronous communication network 200. 
Further, the main processor 443 determines if the asynchronous mode call currently in a traffic state has ended or not (step S 170).
 
When it is determined in step S170 that the traffic state of the asynchronous mode call has been ended, the main processor 443 determines if the mobile communication terminal 400 is located within the area of the asynchronous communication network 100 in order to go into an idle state (step S180). 
When it is determined in step S180 that the mobile communication terminal 400 is located within the area of the asynchronous communication network 100, the main processor goes into the asynchronous mode idle state (step S190) in which the synchronous modem 434 operated in step S160 is inactivated.
 
However, when it is determined in step S180 that the mobile communication terminal 400 is not located within the area of the asynchronous communication network 100, which means that the mobile communication terminal 400 is located within the area of the synchronous communication network, the main processor 443 goes into the synchronous mode idle state (step S181) in which the asynchronous modem 424 is inactivated.
 Meanwhile, when it is determined in step S170 that the traffic state of the asynchronous mode call has not ended yet, the main processor 443 determines if the radio link with the asynchronous communication network 100 has been released or not (step S171). Specifically, the main processor 443 determines whether the mobile communication terminal 400 has escaped from the area of the asynchronous communication network 100, and performs mode switching into the synchronous mode through the synchronous modem 434 started its operation in step S160 when it is determined that the mobile communication terminal 400 has escaped from the area of the asynchronous communication network 100 (step S172). 
 Then, the main processor 443 determines if the call has been ended or not (step S173). When it is determined in step S173 that the call has been ended, the main processor 443 performs step S180 and determines if the mobile communication terminal 400 is currently located within the area of the asynchronous communication network 100 in order to go into the idle state. When it is determined in step S180 that the mobile communication terminal 400 is located within the area of the asynchronous communication network 100, the main processor goes into the asynchronous mode idle state (step S190) in which the synchronous modem 434 started its operation in step S160 is inactive. 
 However, when it is determined in step S180 that the mobile communication terminal 400 is not located within the area of the asynchronous communication network 100, which means that the mobile communication terminal 400 is located within the area of the synchronous communication network, the main processor 443 goes into the synchronous mode idle state (step S181) in which the asynchronous modem 424 is inactivated. 
 Then, when it is determined in step S171 that the radio link with the asynchronous communication network 100 has not been released, the main processor 443 determines if the RSCP has a value exceeding a preset threshold value TH or not in order to determine if the mobile communication terminal 400 is currently located within the area of the asynchronous communication network 100 or not (step S174). When it is determined in step S174 that the RSCP has a value exceeding the preset threshold value TH, the main processor 443 determines that the mobile communication terminal 400 is currently located within the area of the asynchronous communication network 100 and turns off the currently operating synchronous modem 434 (step S175), and then proceeds to step S170. 
 
Although the previous embodiment has been described by using the parameter RSCP of the received signal code power as an example, the same can be said in steps S20, S120 and S174 by using the power value RSSI of the received signal itself instead of the RSCP.
（当審仮訳：図７は、本発明の第２実施例によるモード切替方法のフローチャートである。
  図７を参照すると、
非同期通信網１００の領域で移動通信端末機４００がトラフィック状態にある時（Ｓ１１０）、メインプロセッサー４４３はＲＳＣＰ値が予め設定された閾値ＴＨ以下であるか否かを判断する（Ｓ１２０）。
  
段階Ｓ１２０において、ＲＳＣＰ値が予め設定された上記閾値ＴＨ以下であると判断されると、メインプロセッサー４４３は、ＲＳＣＰ値が予め設定された上記閾値ＴＨ以下である状態が、予め設定された基準時間Ｔの間維持されるか否かを判断する（Ｓ１３０）。
  段階Ｓ１３０において、ＲＳＣＰ値が予め設定された上記閾値ＴＨ以下である状態が、予め設定された基準時間ΔＴの間維持されると判断された場合、メインプロセッサー４４３で無線端で受信された秒毎の受信ブロックが有するブロックエラーの割合（ＢＬＥＲ）をモニタする（Ｓ１４０）。 
  そして、段階Ｓ１４０でモニタリングされたＢＬＥＲ値が、予め設定された閾値（、例えば約１０％）以上であると判断（Ｓ１５０）されると、メインプロセッサー４４３は同期通信網２００との通信に備えるために同期モデム部４３４を起動する（Ｓ１６０）。 
  ここで、段階Ｓ１４０及びＳ１５０は、本発明の第２実施例を単に補完するためのものであり、必須なものではないため、段階Ｓ１４０及びＳ１５０は省略してもよい。段階Ｓ１４０及びＳ１５０が省略される場合は、
段階Ｓ１３０において、ＲＳＣＰ値が予め設定された閾値ＴＨ以下である状態が、予め設定された基準時間Ｔの間維持されると判断されると、メインプロセッサー４４３は同期通信網２００と通信するための同期モデム部４３４を起動する（Ｓ１６０）。
  この時、同期モデム部４３４を起動しても同期通信網２００への登録を試みはしない。
そして、メインプロセッサー４４３は現在のトラフィック状態である非同期モードの呼が終了したか否かを判断する（Ｓ１７０）。
  
上記段階Ｓ１７０で非同期モードの呼が終了したと判断されると、メインプロセッサー４４３はアイドル状態に入るために、移動通信端末４００が非同期通信網１００の領域内であるか否かを判断する（Ｓ１８０）。
  
段階Ｓ１８０で移動通信端末４００が非同期通信網１００の領域内に位置していると判断されると、メインプロセッサーは非同期モードアイドル状態に移行（Ｓ１９０）し、この時には段階Ｓ１６０で起動された同期モデム部４３４は非活性化される。
  
しかし、段階Ｓ１８０で移動通信端末４００が非同期通信網１００の領域内に位置していないと判断されると、同期通信網の領域内に位置しているということなので、メインプロセッサー４４３は同期モードにおけるアイドル状態に移行し（Ｓ１８１）、この時には非同期モデム部４２４が非活性化される。
  一方、段階Ｓ１７０で非同期モードの呼が終了していないと判断されると、メインプロセッサー４４３は非同期通信網１００との無線リンクが解除されたか否かを判断する（Ｓ１７１）。即ち、メインプロセッサー４４３が、移動通信端末４００が非同期通信網１００の領域を離れたかを判断し、その判断の結果、移動通信端末４００が非同期通信網１００の領域を離れたと判断されると、段階Ｓ１６０で起動した同期モデム部４３４を介して同期モードにモード切替を行う（Ｓ１７２）。
  そして、メインプロセッサー４４３は呼が終了したか否かを判断する（Ｓ１７３）。段階Ｓ１７３で呼が終了したと判断されると、メインプロセッサー４４３は段階Ｓ１８０に進み、移動通信端末４００がアイドル状態に移行して、非同期通信網１００の領域内に、現在、位置しているか否かを判断する。段階Ｓ１８０で移動通信端末４００が非同期通信網１００の領域内に位置していると判断されると、メインプロセッサーは非同期モードアイドル状態に移行（Ｓ１９０）し、この時には段階Ｓ１６０で起動した同期モデム部４３４は非活性化される。しかし、段階Ｓ１８０で移動通信端末４００の現在位置が非同期通信網１００の領域内に位置していないと判断されると、同期通信網の領域内に位置しているということなので、メインプロセッサー４４３は同期モードにおけるアイドル状態に移行し（Ｓ１８１）、この時には非同期モデム部４２４が非活性化される。
  その後、段階Ｓ１７１で非同期通信網の無線リンクが解除されていないと判断されると、メインプロセッサー４４３は移動通信端末４００が非同期通信網１００の領域内に位置しているか否かを判断するために、ＲＳＣＰ値が予め設定された閾値ＴＨ以上であるか否かを判断する（Ｓ１７４）。
  段階Ｓ１７４において、ＲＳＣＰ値が予め設定された上記閾値ＴＨ以上であると判断されると、メインプロセッサー４４３は移動通信端末４００が非同期通信網１００の領域内位置していると判断し、現在起動中の同期モデム部４３４をオフにし（Ｓ１７５）、段階Ｓ１７０へ進む。
  
上述した実施例では受信信号コード電力（ＲＳＣＰ）を例として説明したが、上記段階Ｓ２０、Ｓ１２０、Ｓ１７４で受信信号コード電力の代わりに受信信号自体の電力値（ＲＳＳＩ）を用いても同じく具現することができる。
（第１４頁第２行目乃至第１６頁第１７行目）
　
　上記ａ〜ｄの記載を総合すれば、引用文献１には、以下の発明（以下、「引用発明１」という）が記載されている。
「　非同期移動通信網と同期移動通信網とのモード切替を行うことができるマルチモード−マルチバンド移動通信端末のモード切替方法に関し、
　非同期通信網１００の領域で移動通信端末機４００がトラフィック状態にある時（Ｓ１１０）、メインプロセッサー４４３はＲＳＣＰ値が予め設定された閾値ＴＨ以下であるか否かを判断し（Ｓ１２０）、
  段階Ｓ１２０において、ＲＳＣＰ値が予め設定された上記閾値ＴＨ以下であると判断されると、メインプロセッサー４４３は、ＲＳＣＰ値が予め設定された上記閾値ＴＨ以下である状態が、予め設定された基準時間Ｔの間維持されるか否かを判断し（Ｓ１３０）、
　段階Ｓ１３０において、ＲＳＣＰ値が予め設定された閾値ＴＨ以下である状態が、予め設定された基準時間Ｔの間維持されると判断されると、メインプロセッサー４４３は同期通信網２００と通信するための同期モデム部４３４を起動し（Ｓ１６０）、
　そして、メインプロセッサー４４３は現在のトラフィック状態である非同期モードの呼が終了したか否かを判断し（Ｓ１７０）、
　上記段階Ｓ１７０で非同期モードの呼が終了したと判断されると、メインプロセッサー４４３はアイドル状態に入るために、移動通信端末４００が非同期通信網１００の領域内であるか否かを判断（Ｓ１８０）し、 
  段階Ｓ１８０で移動通信端末４００が非同期通信網１００の領域内に位置していると判断されると、メインプロセッサーは非同期モードアイドル状態に移行（Ｓ１９０）し、この時には段階Ｓ１６０で起動された同期モデム部４３４は非活性化され、
  しかし、段階Ｓ１８０で移動通信端末４００が非同期通信網１００の領域内に位置していないと判断されると、同期通信網の領域内に位置しているということなので、メインプロセッサー４４３は同期モードにおけるアイドル状態に移行し（Ｓ１８１）、この時には非同期モデム部４２４が非活性化される
マルチモード−マルチバンド移動通信端末のモード切替方法。」
　
３−２．引用文献２
　本願の優先日前に公開された特開２００４−１８０２９７号公報（以下、「引用文献２」という。）には、図面とともに、次のｅの事項が記載されている。なお、下線は当審が付した。
　
ｅ．「【００５３】
  図４は本発明の一実施形態の動作を示すフローチャートである。ステップ２において、この装置は待機モードに切り換えられ、
ステップ４において、装置がキャンプオンしている第１のネットワークの監視が開始される。ステップ５においては信号品質Ｑ１が決定される。次いでステップ２０において、信号品質Ｑ１と閾値Ｔ１との比較が行われる。
【００５４】
  ステップ２０において、信号品質Ｑ１が閾値Ｔ１よりも大きなことが確認された場合、ステップ４に戻って第１のネットワークの監視、ステップ５での、信号品質Ｑ１の決定、ステップ２０における信号品質Ｑ１と閾値Ｔ１との比較が繰り返される。
【００５５】
  
ステップ２０において、信号品質Ｑ１が閾値Ｔ１を下回ることが確認された場合、ステップ２２で閾値Ｔ２と信号品質Ｑ１の比較が行われる。
【００５６】
  
ステップ２２において、信号品質Ｑ１が閾値Ｔ２以下であることが確認された場合には、ステップ６において第２のネットワークの監視が開始される。続くステップ７では、信号品質Ｑ２の決定が行われ、ステップ８において信号品質Ｑ２が信号品質Ｑ１と比較される。ステップ１０で最良のネットワークが選択され、
　
　上記のｅの記載及び技術常識を総合すれば、引用文献２には、以下の事項が記載されている。
　
「　ステップ４において、第１のネットワークの監視が開始され、
　ステップ５において、信号品質Ｑ１が決定され、
　ステップ２０において、信号品質Ｑ１と閾値Ｔ１との比較が行われ、信号品質Ｑ１が閾値Ｔ１を下回ることが確認された場合、ステップ２２で閾値Ｔ２と信号品質Ｑ１の比較が行われ、
　ステップ２２において、信号品質Ｑ１が閾値Ｔ２以下であることが確認された場合には、ステップ６において第２のネットワークの監視が開始され、
　続くステップ７では、信号品質Ｑ２の決定が行われ、
　ステップ８において信号品質Ｑ２が信号品質Ｑ１と比較され、
　ステップ１０で最良のネットワークが選択される
ネットワーク選択方法。」
　
　
４．対比
　本願本願発明と引用発明１とを対比すると、以下のことがいえる。
　
　引用発明１は、「非同期移動通信網と同期移動通信網とのモード切替を行うことができるマルチモード−マルチバンド移動通信端末のモード切替方法」である。
　引用発明１のマルチモード−マルチバンド移動通信端末は、非同期移動通信網と通信するたの複数の通信インターフェース及び同期移動通信網と通信するための通信インターフェースを有していること、及び、モード切替という通信サービスが提供されていることは明らかである。
　してみると、引用発明１は、本願発明と同様に、「複数の通信インタフェースを有する移動局に通信サービスを提供する方法」であるといえる。
　
　引用発明１は、「段階Ｓ１８０で移動通信端末４００の現在位置が非同期通信網１００の領域内であると判断されると、メインプロセッサーは非同期モードアイドル状態に移行（Ｓ１９０）し、この時には段階Ｓ１６０で起動された同期モデム部４３４は非活性化され、」「段階Ｓ１８０で移動通信端末４００の現在位置が非同期通信網１００の領域内でないと判断されると、同期通信網の領域内であるということなので、メインプロセッサー４４３は同期モードにおけるアイドル状態に移行し（Ｓ１８１）、この時には非同期モデム部４２４が非活性化される」。
　引用発明１のモデム部は通信インタフェースに相当し、引用発明１は、「各通信インタフェースはアクティブな電力モードと非アクティブな電力モードとを有し」ているといえる。
　また、モデム部が活性化されている状態と非活性化されている状態とを比較すると、モデム部が活性化されている状態の方が非活性化されている状態よりもその消費電力が高いことは明らかである。
　してみると、引用発明１は、本願と同様に、「各通信インタフェースはアクティブな電力モードと非アクティブな電力モードとを有し、前記アクティブな電力モードの通信インタフェースの電力消費量は、前記非アクティブな電力モードの前記通信インタフェースの電力消費量よりも高い」ものであるといえる。
　
　引用発明１は、「非同期通信網１００の領域で移動通信端末機４００がトラフィック状態にある時（Ｓ１１０）、メインプロセッサー４４３はＲＳＣＰ値が予め設定された閾値ＴＨ以下であるか否かを判断し（Ｓ１２０）」ている。
　このため、引用発明１の移動通信端末機が有している非同期通信網で通信を行うための通信インタフェースは、アクティブな電力モードにあり、通信サービスを提供しているといえる。
　また、非同期通信網で通信を行うための通信インタフェースを第１の通信インタフェースと言い得る。
　さらに、予め設定された閾値ＴＨ以下であるか否かを判断するためのＲＳＣＰ値を評価・決定されているといえ、ＲＳＣＰ値は通信サービスレベルといえることから、通信サービスを評価しているといえる。
　してみると、引用発明１は、本願と同様に、「前記アクティブな電力モードにあり、且つ通信サービスを提供している、第１の通信インタフェースの通信サービスレベルを評価し」ているといえる。
　
　引用発明１は、「段階Ｓ１３０において、ＲＳＣＰ値が予め設定された閾値ＴＨ以下である状態が、予め設定された基準時間Ｔの間維持されると判断されると、メインプロセッサー４４３は同期通信網２００と通信するための同期モデム部４３４を起動し（Ｓ１６０）」ている。
　同期通信網で通信を行うための通信インタフェースを第２の通信インタフェースと言い得る。
　また、モデム部を起動することで、モデム部が非アクティブな電力モードからアクティブな電力モードに変更されること、及び、これによって、モデム部がアクティブとなることは通常のことである。
　してみると、引用発明１は、本願と同様に、「第２の通信インタフェースを、前記第２の通信インタフェースを前記非アクティブな電力モードから前記アクティブな電力モードに変更することによって、アクティブにし」ているといえる。
　
　引用発明１は、「段階Ｓ１８０で移動通信端末４００が非同期通信網１００の領域内に位置していると判断されると、メインプロセッサーは非同期モードアイドル状態に移行（Ｓ１９０）し、この時には段階Ｓ１６０で起動された同期モデム部４３４は非活性化され」、「段階Ｓ１８０で移動通信端末４００が非同期通信網１００の領域内に位置していないと判断されると、同期通信網の領域内に位置しているということなので、メインプロセッサー４４３は同期モードにおけるアイドル状態に移行し（Ｓ１８１）、この時には非同期モデム部４２４が非活性化される」。
　本願発明の「通信サービスレベルの前記比較が、前記第２の通信インタフェースが前記第１の通信インタフェースよりも高い通信サービスレベルを提供することができることを示す場合」を、ある条件を満たす場合と言い得ることができることは明らかであるとともに、引用発明１の「移動通信端末４００が非同期通信網１００の領域内に位置していると判断される」ことも、ある条件を満たす場合と言い得ることができることは明らかである。
　そして、満たされる条件は別として、引用発明１における、ある条件を満たさない場合、「同期モードにおけるアイドル状態に移行し（Ｓ１８１）、この時には非同期モデム部４２４が非活性化される」ことが、本願発明における、ある条件を満たす場合、「前記第１の通信インタフェースを、前記アクティブな電力モードから前記非アクティブな電力モードに変更することによって、前記第１の通信インタフェースを非アクティブにし、且つ前記第２の通信インタフェースを介して通信サービスを提供」することに相当し、引用発明１における、ある条件を満たす場合、「メインプロセッサーは非同期モードアイドル状態に移行（Ｓ１９０）」することが、本願発明の「さもなければ、前記第１の通信インタフェースを介して通信サービスを提供することを継続する」に相当する。
　してみると、引用発明１は、ある条件を満たす場合、「前記第１の通信インタフェースを、前記アクティブな電力モードから前記非アクティブな電力モードに変更することによって、前記第１の通信インタフェースを非アクティブにし、且つ前記第２の通信インタフェースを介して通信サービスを提供し、さもなければ、前記第１の通信インタフェースを介して通信サービスを提供することを継続する」点で、本願発明で一致する。
　
　引用発明１は、「ＲＳＣＰ値が予め設定された閾値ＴＨ以下である状態が、予め設定された基準時間Ｔの間維持されると判断されると、メインプロセッサー４４３は同期通信網２００と通信するための同期モデム部４３４を起動し」している。
　してみると、引用発明１は、本願と同様に、「前記第１の通信インタフェースの前記通信サービスレベルが所定の閾値未満に低下する場合、第２の通信インタフェースをアクティブにし」ているといえる。
　
　したがって、本願発明と引用発明１の間には、以下の一致点、相違点があるといえる。
　
（一致点）
「　複数の通信インタフェースを有する移動局に通信サービスを提供する方法であって、各通信インタフェースはアクティブな電力モードと非アクティブな電力モードとを有し、前記アクティブな電力モードの通信インタフェースの電力消費量は、前記非アクティブな電力モードの前記通信インタフェースの電力消費量よりも高い、方法であって、
　前記アクティブな電力モードにあり、且つ通信サービスを提供している、第１の通信インタフェースの通信サービスレベルを評価し、
　第２の通信インタフェースを、前記第２の通信インタフェースを前記非アクティブな電力モードから前記アクティブな電力モードに変更することによって、アクティブにし、
　ある条件を満たす場合、前記第１の通信インタフェースを、前記アクティブな電力モードから前記非アクティブな電力モードに変更することによって、前記第１の通信インタフェースを非アクティブにし、
且つ
　前記第２の通信インタフェースを介して通信サービスを提供し、
さもなければ、前記第１の通信インタフェースを介して通信サービスを提供することを継続する
　ことを含み、
　前記第１の通信インタフェースの前記通信サービスレベルが所定の閾値未満に低下する場合、第２の通信インタフェースをアクティブにする、方法。」
　
（相違点１）
　第２の通信インタフェースを介して通信サービスを提供するか、さもなければ、第１の通信インタフェースを介して通信サービスを提供することを継続するかの判断の基準となる「ある条件を満たす場合」を、本願発明では、「通信サービスレベルの前記比較が、前記第２の通信インタフェースが前記第１の通信インタフェースよりも高い通信サービスレベルを提供することができることを示す場合」としているのに対して、引用発明１では、「移動通信端末４００が非同期通信網１００の領域内に位置していないと判断される」場合としている点。
　
（相違点２）
　第２の通信インタフェースを介して通信サービスを提供するか、さもなければ、第１の通信インタフェースを介して通信サービスを提供することを継続するかの判断を行うために、本願発明は、「前記アクティブにされた第２の通信インタフェースの通信サービスレベルを評価し」、「前記第１の通信インタフェースの前記通信サービスレベルと、前記アクティブにされた第２の通信インタフェースの前記通信サービスレベルとの比較を行」うと共に、「前記第１の通信インタフェースの前記通信サービスレベルが所定の閾値未満に低下する場合、通信サービスレベルを評価し、前記通信サービスレベルの比較を行なう前記ステップが行なわれる」のに対して、引用発明１は、このような構成を有していない点。
　
　
４．当審の判断
　上記相違点１及び２について、以下、検討する。
　
　引用発明１のある「条件を満たす場合」は「移動通信端末４００が非同期通信網１００の領域内に位置していないと判断される」場合であるが、特定の移動通信網の領域内か他の移動体通信網の領域内かを判断する具体的な方法としては、ＧＰＳなどを用いて移動通信端末の位置を検出し、検出された位置と移動体通信網の領域の位置情報とを比較して、移動体通信網の領域内かを判断する方法や、特定の移動通信網の通信サービスレベル及び他の移動通信網の通信サービスレベルをそれぞれ評価・比較し、特定の移動通信網の通信サービスレベルの方が高く、他の移動通信網の通信サービスレベルの方が低ければ、特定の移動通信網の領域の内（他の移動体通信網の領域の外）に位置すると判断し、特定の移動通信網の通信サービスレベルの方が低く、他の移動通信網の通信サービスレベルの方が高ければ、他の移動体通信網の領域の内（特定の移動通信網の領域の外）に位置すると判断する方法などが、当業者にとって周知である。
　
　そして、引用文献２には、
「　ステップ４において、第１のネットワークの監視が開始され、
　ステップ５において、信号品質Ｑ１が決定され、
　ステップ２０において、信号品質Ｑ１と閾値Ｔ１との比較が行われ、信号品質Ｑ１が閾値Ｔ１を下回ることが確認された場合、ステップ２２で閾値Ｔ２と信号品質Ｑ１の比較が行われ、
　ステップ２２において、信号品質Ｑ１が閾値Ｔ２以下であることが確認された場合には、ステップ６において第２のネットワークの監視が開始され、
　続くステップ７では、信号品質Ｑ２の決定が行われ、
　ステップ８において信号品質Ｑ２が信号品質Ｑ１と比較され、
　ステップ１０で最良のネットワークが選択される
ネットワーク選択方法。」、
　すなわち、
　現在、監視しているネットワークが信号品質Ｑ１が閾値以下となると、監視していなかった、もう一方のネットワークの信号品質Ｑ２を決定し、Ｑ１とＱ２とを比較して最良のネットワークを選択すること、
が記載されており、該記載を当業者が見れば、引用文献２において、Ｑ１とＱ２とを比較することは、最良のネットワークを選択するために、第１のネットワークの領域と第２のネットワークの領域のいずれの領域内に位置しているかを判断することに他ならないと、当然に理解するものである。
　
　そして、引用文献２に記載された「現在、監視しているネットワークが信号品質Ｑ１が閾値以下となると、監視していなかった、もう一方のネットワークの信号品質Ｑ２を決定し、Ｑ１とＱ２とを比較」 することは、本願発明１の「前記アクティブにされた第２の通信インタフェースの通信サービスレベルを評価し」、「前記第１の通信インタフェースの前記通信サービスレベルと、前記アクティブにされた第２の通信インタフェースの前記通信サービスレベルとの比較を行い」、「前記第１の通信インタフェースの前記通信サービスレベルが所定の閾値未満に低下する場合」、「通信サービスレベルを評価し、前記通信サービスレベルの比較を行なう前記ステップが行なわれる」ことに相当する。
　
　してみると、引用発明１において、移動局が第１の通信インタフェースを用いる非同期通信網の領域内に位置していないことを判断する具体的な方法として、「通信サービスレベルの前記比較が、前記第２の通信インタフェースが前記第１の通信インタフェースよりも高い通信サービスレベルを提供することができることを示す」場合とする判断方法とし、そのために、「前記アクティブにされた第２の通信インタフェースの通信サービスレベルを評価し」、「前記第１の通信インタフェースの前記通信サービスレベルと、前記アクティブにされた第２の通信インタフェースの前記通信サービスレベルとの比較を行」いと共に、「前記第１の通信インタフェースの前記通信サービスレベルが所定の閾値未満に低下する場合、第２の通信インタフェースをアクティブにし、通信サービスレベルを評価し、前記通信サービスレベルの比較を行なう前記ステップが行なわれる」ようにすることは、当業者であれば容易になし得る事項であるといえる。
　
　そして、本願発明の奏する作用効果は、引用発明１及び引用文献２に記載された事項から予測できる範囲内のものであって、格別のものということができない。
　
　よって、本願発明は、引用発明１及び引用文献２に記載された事項に基いて、当業者が容易に発明することができたものである。
　
　
５．むすび
　以上のとおりであるから、本願発明は、引用発明１及び引用文献２に記載された事項に基いて、当業者が容易に発明することができたものであるから、特許法第２９条第２項の規定により特許を受けることができない。
　
　したがって、本願は、他の請求項に係る発明について検討するまでもなく、拒絶すべきものである。
　
　よって、結論のとおり審決する。